(57)【要約】【課題】  排気方向が異なる複数の排気口のいずれを選択しても同等の風量を確保できるようにする。【解決手段】  本体ケース２１に、吸気口２５および択一的に使用される排気方向が異なる複数の排気口２６ａ，２６ｂを有し、本体ケース２１に内蔵された換気用送風機２３により室内の空気を吸いこんで、外部へ排気する換気装置２０において、本体ケース２１の内部に、選択した排気方向に応じてスクロールケーシング風路を形成するための風路形成部材２８を着脱可能に設ける。【選択図】        図１
2006022990.tif 000002
【特許請求の範囲】
【請求項１】
本体ケースに、吸気口および択一的に使用される排気方向が異なる複数の排気口を有し、該本体ケースに内蔵された換気用送風機により室内の空気を吸いこんで、外部へ排気する換気装置において、
前記本体ケースの内部に、選択した排気方向に応じてスクロールケーシング風路を形成するための風路形成部材を着脱可能に設けたことを特徴とする換気装置。
【請求項２】
前記風路形成部材を、選択されない排気方向の排気口の遮蔽板と兼用してなることを特徴とする請求項１記載の換気装置。
【請求項３】
前記本体ケースに、室内の空気を吸いこみ、加熱して該室内へ送風する循環用送風機およびヒータを設けたことを特徴とする請求項１又は請求項２記載の換気装置。
【請求項４】
前記本体ケースに、前記換気用送風機、前記循環用送風機、及び前記ヒータを制御する制御装置を設けたことを特徴とする請求項１乃至請求項３のいずれかに記載の換気装置。
【発明の詳細な説明】
【技術分野】
【０００１】
本発明は、択一的に使用される排気方向が異なる複数の排気口を有する換気装置に係り、より詳しくはいずれの排気方向が選択されても同等の風量を確保できる換気装置に関する。
【背景技術】
【０００２】
従来より、室内の空気を吸いこんで、外部へ排気する換気装置において、施工性向上を目的として、複数の排気口を設け、排気方向を一方向のみでなく、複数方向から選択できるようにしたものは知られている。この場合、複数の排気口を形成した箱状の大型部材を換気装置本体の外郭の最適設計された排気口に接続するか、あるいは換気装置本体外郭の適当な位置に複数の排気口を形成して、その中の使用する排気口を排気ダクト等と接続し、他の排気口は遮蔽板等で外部より塞いでいた（例えば特許文献１参照）。
【０００３】
【特許文献１】特開２０００−１９３２６３号公報
【発明の開示】
【発明が解決しようとする課題】
【０００４】
ところで、換気風量を最適化するためには、風路の形状と排気口の位置（排気方向）が重要な要素となる。つまり、スクロールケーシングの形状（風路形状）を最適化し、その風路の軸線上に排気口を形成することで、換気風量を最適化することができる。したがって、一つの排気方向に対しては最適設計が可能である。しかしながら、施工性向上を目的として、排気方向が異なる複数の排気口を設けたものにあっては、最適化された風路の軸線から外れる排気方向の排気口に対しては換気風量を最適化できず、このような排気口に排気ダクト等を接続するだけでは、著しい風量低下は避けられない。
【０００５】
また、換気装置の外郭の最適設計された排気口に、複数の排気口を形成した箱状の部材を接続することで、排気方向を変更可能とする場合には、機器の大型化が避けられない。
【０００６】
本発明の技術的課題は、排気方向が異なる複数の排気口のいずれを選択しても同等の風量を確保できるようにすることにある。
【課題を解決するための手段】
【０００７】
本発明の換気装置は、下記の構成からなるものである。すなわち、本体ケースに、吸気口および択一的に使用される排気方向が異なる複数の排気口を有し、本体ケースに内蔵された換気用送風機により室内の空気を吸いこんで、外部へ排気する換気装置において、本体ケースの内部に、選択した排気方向に応じてスクロールケーシング風路を形成するための風路形成部材を着脱可能に設けたものである。
【発明の効果】
【０００８】
本発明の換気装置においては、いずれの排気口を選択しても、それに応じた風路形成部材を本体ケースの内部に取り付けることによってスクロールケーシング風路を形成することができるので、排気風量を低下させることなく、性能を確保することができる。さらに、複数の排気口を形成した箱状の部材を排気口の外側に接続する必要が無くなるので、機器の大型化を避けながら、施工性や換気性能を向上させることができ、設置制約が少なくなる。
【発明を実施するための最良の形態】
【０００９】
以下、図示実施形態により本発明を説明する。
図１乃至図３はいずれも本発明の一実施形態に係る換気装置を乾燥暖房機の換気部に用いたもので、図１はその外観を下方より示す斜視図、図２はその外観を上方より示す斜視図、図３はその横断面図である。
【００１０】
本実施形態の換気装置を適用した乾燥暖房機１は、例えば浴室の天井に設置されて使用される。乾燥暖房機１は、ベース板１１上に換気装置２０の本体ケース２１と暖房機３０の本体ケース３１が取り付けられて構成されているが、これら本体ケース２１，３１は一体形成してもよい。
【００１１】
これを更に詳述すると、換気装置２０は、その本体ケース２１内にモータ２２で回転される換気用のシロッコファン２３が内蔵され、シロッコファン２３の外周側に、空気を室外へ導くためのスクロールケーシング風路を形成するガイド板２４が本体ケース２１と一体または別体から形成されて設けられており、浴室内の空気を吸い込む第１の吸気口２５から吸気して、シロッコファン２３の回転により排気口２６ａ（又は２６ｂ）から室外へ排出できるように構成されている。ここで、排気口２６ａは、前記スクロールケーシング風路の軸線上に位置するように形成され、換気風量を最適化できるようになっており、この排気口２６ａを利用する場合は、他方の排気口２６ｂを遮蔽板２７により遮蔽するだけでよい。
【００１２】
また、他方の排気口２６ｂは、その排気方向が、前述の最適化されたスクロールケーシング風路の軸線からずれた位置に形成されており、この排気口２６ｂを利用する場合、そのままでは換気風量を最適化することはできない。そのため、本実施形態の換気装置ではベース板１１における換気装置２０側のコーナ部位に孔１２を設け、この孔１２を通して、排気方向が排気口２６ｂ側となるような最適化されたスクロールケーシング風路を形成できる湾曲面２８ａを有する風路形成部材２８を本体ケース２１内に着脱可能に設置できるようにするとともに、孔１２を蓋部材２９によって密閉できるようにし、かつ風路形成部材２８と蓋部材２９とは図示しないねじによってベース板１１に共に止着できるようにしている。
【００１３】
排気口２６ａ，２６ｂは、設置場所（現場）の換気ダクト等の状況に応じて選択的に使用されるものであり、基本的に一方（ここでは排気口２６ｂ）は遮蔽板２７により遮蔽されるようになっているが、使用されない側の排気口（排気口２６ｂ）を図３のように風路形成部材２８にて内側から密閉できるようにすることにより、あるいは風路形成部材２８に排気口遮蔽部を延長形成して、その排気口遮蔽部によって、使用されない側の排気口を内側から覆うことにより、使用されない側の排気口を閉塞するようにしてもよく、この場合には遮蔽板２７を不要にできる。
【００１４】
暖房機３０は、その本体ケース３１内に、モータ３２で回転される循環用のシロッコファン３３が内蔵され、シロッコファン３３の外周側に、空気をヒータ（図示せず）が設置された加熱部３４へ導くためのガイド板３５が本体ケース３１と一体または別体から形成されて設けられており、浴室内の空気を吸い込む第２の吸気口３６から吸気して、シロッコファン３３で加圧されて送られてくる空気が、加熱部３４にてヒータの熱を受け温風となって、吹出し開口３７から浴室内に吹出されるようになっている。
【００１５】
なお、本体ケース２１又は３１には、使用者が操作するコントローラからの信号に基づき、換気装置２０のモータ２２、暖房機３０のモータ３２及びヒータ等の運転モードの切換制御を行う制御装置（図示せず）が組み込まれており、例えばコントローラから入浴中ボタンが押されたことが知らせられると、換気装置２０のモータ２２の回転数を下げて浴室内が冷えるのを防止する保温運転モードに移行するようになっている。
【００１６】
このように、本実施形態の換気装置においては、元々スクロールケーシング風路が最適化されている排気口２６ａを利用する場合は、他方の排気口２６ｂを遮蔽板２７により遮蔽するだけでよく、これにより換気風量を最適化することができる。
【００１７】
また、他方の排気口２６ｂを利用する場合は、風路形成部材２８をベース板１１の孔１２より本体ケース２１内に挿入し、孔１２を蓋部材２９によって密閉する。これにより、風路形成部材２８の湾曲面２８ａによって排気方向が排気口２６ｂ側となるような最適化されたスクロールケーシング風路が形成されるので、換気風量を最適化することができる。このとき、風路形成部材２８に既述したような一方の排気口２６ａを密閉する遮蔽板機能を持たせておけば、遮蔽板２７が不要になる。このように、いずれの排気方向でも最適風路形状を構成することができるため、いずれの排気方向でも換気風量を確保することが可能となる。
【００１８】
また、最適風路形状を形成する風路形成部材２８によっていずれの排気方向においても圧損を低く抑制することができ、低騒音での風量確保が可能となる。
【００１９】
また、前述した換気機能だけでなく、モータ３２、シロッコファン３３、及びヒータによる循環機能（暖房機能）も持たせているので、循環と換気の両機能を使用する暖房中の換気運転や、室内および衣類の乾燥運転時に、いずれの排気方向を選択されてもより安定した性能を確保することが可能になる。
【００２０】
また、本体ケース２１又は３１に、使用者が操作するコントローラからの信号に基づき、換気装置２０のモータ２２、暖房機３０のモータ３２及びヒータ等の運転モードの切換制御を行う制御装置を設け、例えばコントローラから入浴中ボタンが押されたことが知らせられると、換気装置２０のモータ２２の回転数を下げて浴室内が冷えるのを防止する保温運転モードに移行するようにしているので、本装置が設置されている浴室等の使用、不使用にかかわらず常時換気が可能となり、快適性が向上する。
【図面の簡単な説明】
【００２１】
【図１】本発明の一実施形態に係る換気装置を適用した乾燥暖房機の外観を下方より示す斜視図である。
【図２】本実施形態に係る換気装置を適用した乾燥暖房機の外観を上方より示す斜視図である。
【図３】本実施形態に係る換気装置を適用した乾燥暖房機の横断面図である。
【符号の説明】
【００２２】
２０  換気装置、２１，３１  本体ケース、２３  シロッコファン（換気用送風機）、２５  第１の吸気口（吸気口）、２６ａ，２６ｂ  排気口、２８  風路形成部材、３０  暖房機、３３  シロッコファン（循環用送風機）、３４  加熱部（ヒータ）。
【図１】
2006022990.tif 000003
【図２】
2006022990.tif 000004
【図３】
2006022990.tif 000005